(57)【要約】【課題】容易に設置することができる照明装置を提供すること。【解決手段】実施形態に係る照明装置は、発光部と、本体部と、支持部と、電源ボックスと、端子台とを具備する。発光部は、複数の発光素子を含む。本体部は、前面側に発光部が設けられる直方体状である。電源ボックスは、背面側からみて本体部における背面の各辺と背面の各辺とが対向する姿勢で本体部の背面側に設けられる直方体状である。端子台は、側面側からみて支持部が重ならない電源ボックスの側面または当該側面と隣り合う面の当該側面寄りの端部に設けられ、外部配線が接続される。【選択図】図１
2018055838.tif 000002
【特許請求の範囲】
【請求項１】
複数の発光素子を含む発光部と；
前面側に前記発光部が設けられる直方体状の本体部と；
前記本体部の対向する側面を挟み込み前記本体部を揺動可能に吊り下げて支持する支持部と；
背面側からみて前記本体部における背面の各辺と背面の各辺とが対向する姿勢で前記本体部の背面側に設けられる直方体状の電源ボックスと；
側面側からみて前記支持部が重ならない前記電源ボックスの側面または当該側面と隣り合う面の当該側面寄りの端部に設けられ、外部配線が接続される端子台と；
を具備することを特徴とする照明装置。
【請求項２】
前記端子台は、
前記電源ボックスの背面における前記端部に設けられることを特徴とする請求項１に記載の照明装置。
【請求項３】
前記端子台は、
前記外部配線を接続する接続口が、前記支持部が重ならない前記側面へ向く姿勢で取り付けられることを特徴とする請求項２に記載の照明装置。
【請求項４】
前記端子台は、
前記外部配線のうち電源線が接続される電源端子台と、前記外部配線のうち信号線が接続される信号端子台とを含み、
前記電源端子台および前記信号端子台は、
前記電源ボックスの背面における前記端部に沿って並べて設けられることを特徴とする請求項２または３に記載の照明装置。
【請求項５】
前記本体部は、
前記電源ボックスの背面が水平となる姿勢または前記端子台が設けられる前記端部側へ向けて下り勾配となる姿勢となるように前記支持部によって支持されることを特徴とする請求項２〜４のいずれか一つに記載の照明装置。
【発明の詳細な説明】
【技術分野】
【０００１】
本発明の実施形態は、照明装置に関する。
【背景技術】
【０００２】
近年、ＬＥＤ（Light  Emitting  Diode）などの発光素子を光源とする照明装置が普及している。かかる照明装置は、例えば体育館や工場の天井など高所に設置されるものがある。
【先行技術文献】
【非特許文献】
【０００３】
【特許文献１】特開２０１３−８４６１０号公報
【発明の概要】
【発明が解決しようとする課題】
【０００４】
しかしながら、上述した従来技術には、照明装置を容易に設置するという点で改善の余地がある。
【０００５】
本発明が解決しようとする課題は、容易に設置することができる照明装置を提供することである。
【課題を解決するための手段】
【０００６】
実施形態に係る照明装置は、発光部と、本体部と、支持部と、電源ボックスと、端子台とを具備する。発光部は、複数の発光素子を含む。本体部は、前面側に前記発光部が設けられる直方体状である。支持部は、前記本体部の対向する側面を挟み込み前記本体部を揺動可能に吊り下げて支持する。電源ボックスは、背面側からみて前記本体部における背面の各辺と背面の各辺とが対向する姿勢で前記本体部の背面側に設けられる直方体状である。端子台は、前面側からみて前記支持部が重ならない前記電源ボックスの側面または当該側面と隣り合う面の当該側面寄りの端部に設けられ、外部配線が接続される。
【図面の簡単な説明】
【０００７】
【図１】図１は、実施形態に係る照明装置の概要を示す斜視図である。
【図２】図２は、実施形態に係る端子台の設置範囲を示す図である。
【図３】図３は、実施形態に係る端子台の配置例を示す図である。
【図４】図４は、実施形態に係る照明装置を傾けて設置する場合の模式図である。
【発明を実施するための形態】
【０００８】
以下で説明する実施形態に係る照明装置１は、発光部６０と、本体部４０と、支持部１０と、電源ボックス２０とを具備する。発光部６０は、複数の発光素子６１を含む。本体部４０は、前面側に発光部６０が設けられる直方体状である。支持部１０は、本体部４０の対向する側面２０ｂ、２０ｄを挟み込み本体部４０を揺動可能に吊り下げて支持する。電源ボックス２０は、背面側からみて本体部４０における背面の各辺と背面２０ａの各辺とが対向する姿勢で本体部４０の背面側に設けられる直方体状である。端子台３１は、前面側からみて支持部１０が重ならない電源ボックス２０の側面２０ｂ、２０ｄまたは当該側面２０ｂ、２０ｄと隣り合う面（背面２０ａ、側面２０ｃ、２０ｅ）の当該側面２０ｂ、２０ｄ寄りの端部Ｒに設けられ、外部配線３５が接続される。
【０００９】
また、以下で説明する実施形態に係る端子台３１は、電源ボックス２０の背面２０ａにおける端部Ｒに設けられる。
【００１０】
また、以下で説明する端子台３１は、外部配線３５を接続する接続口３２ａ、３２ｂが、支持部１０が重ならない側面へ向く姿勢で取り付けられる。
【００１１】
また、以下で説明する実施形態に係る端子台３１は、外部配線３５のうち電源線３５ａが接続される電源端子台３１ａと、外部配線３５のうち信号線３５ｂが接続される信号端子台３１ｂとを含み、電源端子台３１ａおよび信号端子台３１ｂは、電源ボックス２０の背面における端部Ｒに沿って並べて設けられる。
【００１２】
また、以下で説明する本体部４０は、電源ボックス２０の背面２０ａが水平となる姿勢または端子台３１が設けられる端部Ｒ側へ向けて下り勾配となる姿勢となるように支持部１０によって支持される。
【００１３】
以下、図面を参照して、実施形態に係る照明装置１を説明する。実施形態において同一の部位には同一の符号を付し、重複する説明は省略される。また、以下の説明では、照明装置１が吊り下げ式のいわゆるダウンライトである場合について説明する。
【００１４】
（実施形態）
まず、図１を用いて、実施形態に係る照明装置１の概要について説明する。図１は、照明装置１の概要を示す斜視図である。なお、図１は、照明装置１を斜め下方向からみた図である。
【００１５】
また、図１では、説明を分かりやすくするために、鉛直方向上向きを正方向とするＺ軸を含む３次元の直交座標系を示している。なお、かかる直交座標系は、以下の説明で用いる他の図面においても示す場合がある。
【００１６】
図１に示すように、照明装置１は、支持部１０と、電源ボックス２０と、端子台カバー３０と、本体部４０と、放熱部５０と、発光部６０と、透過性カバー７０とを具備する。
【００１７】
支持部１０は、本体部４０の対向する側面を挟み込むことで、照明装置１を揺動可能に吊り下げて支持する。また、支持部１０は、本体部４０の側面側に例えば半弧状の調整孔を有している。かかる調整孔を介して例えばボルト等の締結部材によって本体部４０へ固定することで、本体部４０の取付角度を調整することができる。
【００１８】
電源ボックス２０は、発光部６０を制御する図示しない制御基板を収容する。また、電源ボックス２０は、背面側からみて本体部４０における背面（Ｚ軸正方向側の面）の各辺と背面２０ａ(図２等参照)の各辺とが対向する姿勢で本体部４０の背面側に設けられる直方体状の筐体である。
【００１９】
端子台カバー３０は、端子台３１を内蔵する筐体である。また、端子台カバー３０は、側面に配線孔を有し、配線孔を通じて外部から外部配線３５が端子台３１へ接続される。例えば、端子台カバー３０は、照明装置１の取り付け後に、施行者によって取り付けられる。なお、端子台カバー３０を省略することとしてもよい。
【００２０】
端子台３１は、例えば、天井裏から引き込まれた外部配線３５のうち電源線３５ａが接続される電源端子台３１ａと、信号線３５ｂが接続される信号端子台３１ｂとを具備する。以下の説明では、電源端子台３１ａと、信号端子台３１ｂとを総称して端子台３１と記載する場合がある。また、以下の説明では、端子台３１が２つである場合について説明するが、端子台３１は、１つであっても３つ以上であってもよい。
【００２１】
ここで、実施形態に係る照明装置１では、照明装置１を取り付ける際に、端子台３１を施行者から見えやすい位置に設けることとしている。この点の詳細については、図２以降の図面を用いて後述することとする。
【００２２】
本体部４０は、略直方体状であり、前面側（Ｚ軸負方向側）に発光部６０が設けられ、背面側（Ｚ軸正方向側）に電源ボックス２０が設けられる。放熱部５０は、発光部６０の背面側に設けられ、複数の放熱フィン５１が間隔をあけて配列される。放熱部５０は、発光部６０の発光素子６１が発光することにより発生する熱を外部へ放出する。
【００２３】
発光部６０は、前面側の発光面上に複数の発光素子６１が配列される。発光素子６１は、例えばＬＥＤ（Light  Emitting  Diode）チップである。発光素子６１は、電源ボックス２０に内蔵された制御基板からの制御信号に応じて発光する。
【００２４】
透過性カバー７０は、発光部６０の前面側に設けられ、発光部６０を保護する。なお、透過性カバー７０は、発光部６０で発光された光を遮光しない透過性のガラスや樹脂である。
【００２５】
ところで、照明装置１を例えば体育館や工場などの高天井に設置しようとした場合、施行者は、照明装置１を見あげて取り付ける場合がある。この際、施行者の位置から端子台３１を視認できないと、施行者は、手さぐりで端子台３１の位置を把握する必要がある。かかる場合に、施行者が外部配線３５を端子台３１へ接続する作業や、外部配線３５が端子台３１に接続されたのか否かを確認する作業を行うのは容易でない。
【００２６】
このため、実施形態に係る照明装置１では、端子台３１を施行者から見えやすい位置に設けることで、照明装置１を容易に取り付けられるようにしている。以下、図２〜図４を用いて実施形態に係る照明装置１において端子台３１を設ける位置について詳細に説明する。
【００２７】
まず、図２を用いて端子台３１の設置範囲について説明する。図２は、実施形態に係る端子台３１の設置範囲を示す図である。なお、図２では、説明を簡略化するために、本体部４０や放熱部５０等の記載を省略している。また、端子台３１は、図３で後述するが例えば直方体状の筐体であり、外部配線３５が接続される接続口３２（図３参照）を備える。
【００２８】
図２に示すように、実施形態に係る照明装置１では、側面側（図２のＺ軸と垂直な向き）からみて支持部１０が重ならない側面である側面２０ｃ寄りの背面２０ａの端部Ｒに端子台３１を設けている。なお、側面側からみて支持部１０が重ならないもう一方の側面である側面２０ｅ寄りの背面２０ａの端部Ｒに端子台３１を設けることとしてもよい。
【００２９】
ここで、端子台３１を背面２０ａの端部Ｒに設ける場合、端子台３１をできるだけ側面２０ｃまたは側面２０ｅに近い位置に設けることが好ましい。これは、上記の通り、照明装置１の下方から作業を行う施工者から端子台３１を見えやすくするためである。
【００３０】
このため、端部Ｒは、例えば、側面２０ｃまたは側面２０ｅから背面２０ａのＸ軸方向における長さのそれぞれ３０％未満の範囲であることが好ましい。しかしながらこれに限らず、端部Ｒは、照明装置１の下方から施工者が端子台３１を視認可能な領域であればよい。
【００３１】
また、端子台３１は、少なくとも一部が端部Ｒに設けられていれば足りる。すなわち、端子台３１は、照明装置１の下方から端子台３１の少なくとも一部を施工者が視認可能な位置に設けられていればよい。
【００３２】
このように、端子台３１を背面２０ａの端部Ｒに設けることで、施工者は、端子台３１を視認することが可能となる。したがって、施工者が外部配線３５を端子台３１へ容易に接続することができるので、照明装置１を容易に設置することが可能となる。
【００３３】
また、端子台３１を背面２０ａに設けることで、端子台３１や、配線２６(図３参照)が照明装置１の下方から見えない位置に配置されることになる。このため、照明装置１の見栄えを損なうことなく、照明装置１の取り付けを容易にすることができる。
【００３４】
なお、背面２０ａ側からみて端子台３１の一部が電源ボックス２０から突出するように端子台３１を配置することにしてもよい。あるいは、電源ボックス２０の背面２０ａ上に台座を設け、かかる台座上に端子台３１を設け、端子台３１を施工者から見えやすくするようにしてもよい。また、例えば、背面２０ａ上にＸ軸方向にスライド可能なスライド機構を設け、かかるスライド機構上に端子台３１を設けることとしてもよい。
【００３５】
また、上記の通り、実施形態に係る照明装置１では、支持部１０と重ならない側面である側面２０ｃまたは側面２０ｅ寄りの背面２０ａの端部Ｒに端子台３１を配置することにしている。このため、施行者が照明装置１を見上げて施工する際に、端子台３１が支持部１０によって遮られることを回避可能である。
【００３６】
したがって、施工者は端子台３１を確実に視認することができる。なお、端子台３１を背面２０ａに設ける場合における端子台３１の向きについては図３を用いて後述する。
【００３７】
ところで、端子台３１は、電源ボックス２０の背面２０ａに限らず側面に設けることもできる。このように、端子台３１を側面２０ｃ、２０ｅや、側面２０ｂまたは側面２０ｄの端部Ｒに設ける場合、背面２０ａに設ける場合に比べてさらに施工者から端子台３１を視認しやすい。
【００３８】
なお、かかる場合、端子台３１の設置する向きは問わないが、端子台３１の接続口３２が下側（Ｚ軸負方向側）や上側（Ｚ軸正方向側）を向く向きで設置することが好ましい。
【００３９】
例えば、接続口３２が下側を向く向きで設置すると、施工者から接続口３２が近い位置に配置されるため、外部配線３５の接続が容易となる。また、接続口３２が電源ボックス２０の上側を向く向きで端子台３１を設置すると、施工者は、天井から延びる外部配線３５の端子（図示略）をそのままの向きで接続口３２に接続することができる。
【００４０】
次に、図３を用いて端子台３１の配置例について説明する。図３は、実施形態に係る端子台３１の配置例を示す図である。なお、図３に示す電源端子台３１ａおよび信号端子台３１ｂは、簡略化したものであり、大きさや形状を限定するものではない。
【００４１】
図３に示すように、端子台３１として、電源ボックス２０の背面２０ａには、電源端子台３１ａと、信号端子台３１ｂとが設けられる。また、電源端子台３１ａおよび信号端子台３１ｂのそれぞれは、外部配線３５を接続する接続口３２ａ、３２ｂを有する。
【００４２】
電源端子台３１ａは、電源ボックス２０の内側に設けられた制御基板へ電源を供給する電源配線２６ａを有する。また、信号端子台３１ｂは、かかる制御基板へ調光信号などの信号を供給する信号配線２６ｂを有する。
【００４３】
なお、以下の説明では、電源配線２６ａおよび信号配線２６ｂを総称して配線２６と記載する。また、配線２６は、背面２０ａの例えば中央部に設けられた貫通孔２８を介して電源ボックス２０の内側へ導入される。
【００４４】
図３に示すように、電源端子台３１ａおよび信号端子台３１ｂは、例えば、接続口３２ａ、３２ｂが側面２０ｃへ向く姿勢で取り付けられる。なお、電源端子台３１ａおよび信号端子台３１ｂが、側面２０ｅ側の背面２０ａに設けられる場合には、接続口３２ａ、３２ｂが側面２０ｅへ向く姿勢で取り付けられる。
【００４５】
このため、施工者は、電源端子台３１ａおよび信号端子台３１ｂの位置に加えて接続口３２ａ、３２ｂを視認することができる。さらに、施工者は、外部配線３５を支持部１０によって妨げられることなく接続口３２ａ、３２ｂへ接続することもできる。
【００４６】
したがって、施工者は、接続口３２ａ、３２ｂへ外部配線３５を容易に接続することが可能となる。なお、端子台３１は、図３に示すように、背面２０ａと側面２０ｃとの境界線に対して厳密に平行に取り付けられる必要はなく、接続口３２ａ、３２ｂが側面２０ｃを向く向きであればよい。
【００４７】
また、図３に示すように、電源端子台３１ａおよび信号端子台３１ｂは、背面２０ａに端部Ｒにそって並べられて設けられる。これにより、施工者は、電源端子台３１ａおよび信号端子台３１ｂに外部配線３５を接続する際に施工者自身の立つ位置や姿勢を変更することなく作業することができる。
【００４８】
次に、図４を用いて照明装置１の姿勢を傾けて取り付ける場合について説明する。図４は、実施形態に係る照明装置１を傾けて設置する場合の模式図である。ここでは、支持部１０を天井に固定した状態で照明装置１が図４に示す姿勢をとる場合について説明する。
【００４９】
本体部４０は、水平または端子台３１が設けられる端部Ｒ側へ向けて下り勾配となる姿勢となるように支持部１０によって支持されることが好ましい。このように、本体部４０、すなわち、電源ボックス２０を端子台３１が設けられる端部Ｒ側が低くなるように傾けることで、施工者から端子台３１をより見やすくすることができる。さらに、この際、電源ボックス２０を傾けた分だけ、端子台３１は、施工者に近づくことになる。したがって、施工者は、より近い位置で外部配線３５の接続を行うことができる。
【００５０】
このように、本体部４０を傾けた姿勢とする場合、電源ボックス２０の端子台３１は、低いほうの端部Ｒ側にあることが好ましい。つまり、照明装置１を天井等に取付ける際に、低いほうの端部Ｒ側に端子台３１がある向きで照明装置１を取付けることとすればよい。
【００５１】
なお、支持部１０に対する本体部４０の揺動範囲を、端子台３１が設置された端部Ｒ側へ向けて下り勾配となる方向のみとなるようにしてもよい。
【００５２】
また、照明装置１を傾斜した天井に設置する場合も同様に、電源ボックス２０の背面２０ａが水平となる姿勢、または、端子台３１が設けられる端部Ｒ側へ向けて下り勾配となる姿勢とすればよい。
【００５３】
なお、上述した実施形態では、照明装置１が、電源ボックス２０と、本体部４０とを１つずつ具備する場合を示したが、これに限られない。すなわち、照明装置１が１つの電源ボックス２０と複数の本体部４０とを具備することにしてもよく、複数の電源ボックス２０と、１つの本体部４０とを具備することにしてもよい。また、本体部４０に複数の発光部６０を並べて配置することとしてもよい。
【００５４】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１            照明装置
１０            支持部
２０            電源ボックス
２０ａ            背面
２０ｂ〜２０ｅ    側面
２６            配線
３１            端子台
３１ａ            電源端子台
３１ｂ            信号端子台
３２ａ、３２ｂ    接続口
３５            外部配線
３５ａ            電源線
３５ｂ            信号線
４０            本体部
５０            放熱部
６０            発光部
７０            透過性カバー
Ｒ            端部
【図１】
2018055838.tif 000003
【図２】
2018055838.tif 000004
【図３】
2018055838.tif 000005
【図４】
2018055838.tif 000006